(57)【要約】【課題】複数種類のディスク装置例えばＨＤＤ装置を混在させて構成するディスクアレイ装置として、空きスロットに実装可能なディスク装置例えばＨＤＤ装置を容易に判別することを可能とするディスクアレイ装置接続用バックプレーンを提供する。【解決手段】各種のＨＤＤ装置を実装することが可能なＨＤＤスロッ３１〜３５を備えたバックプレーン３に、各ＨＤＤスロット３１〜３５に対応付けて配置し、実装可能なＨＤＤ装置の種類に応じて点灯するＬＥＤ部６１〜６５を備え、管理制御部５１は、マザーボード１に搭載したＳＡＳ  ＲＡＩＤコントロールカード１１、ＳＡＴＡ  ＲＡＩＤコントロールカード１２から、各ＨＤＤスロット３１〜３５が動作可能なＨＤＤ装置の種類を示すスロット情報を取得することにより、各ＨＤＤスロット３１〜３５に実装可能なＨＤＤ装置の種類を判別し、各ＨＤＤスロット３１〜３５に対応するＬＥＤ部６１〜６５の点灯制御を行う。【選択図】        図１
2011070273.tif 000002
【特許請求の範囲】
【請求項１】
１ないし複数種類のディスク装置を混在させて構成するディスクアレイ装置を備えたコンピュータシステム内に設けられ、各前記ディスク装置を実装するためのスロットを備えたディスクアレイ装置接続用バックプレーンであって、各前記スロットに対応付けて配置され、前記スロットそれぞれに実装することが可能な前記ディスク装置の種類に応じて点灯するＬＥＤ（Light Emitting Diode）部と、前記スロットそれぞれに実装する前記ディスク装置の種類に応じて前記ディスク装置それぞれの動作を制御するディスクコントロール用カードから制御情報を読み取り、読み取った前記制御情報に応じて当該ディスクアレイ装置接続用バックプレーンの動作を制御する管理制御部と、を備え、前記管理制御部は、前記ディスクコントロール用カードから読み取った前記制御情報のうち、前記スロットそれぞれにおいて動作することが可能なディスク装置の種類を示すスロット情報を取得して、取得した前記スロット情報に基づいて、前記スロットそれぞれに実装することが可能なディスク装置の種類を判別し、前記スロットそれぞれに対応する前記ＬＥＤ部の点灯制御を行うことを特徴とするディスクアレイ装置接続用バックプレーン。
【請求項２】
当該ディスクアレイ装置接続用バックプレーンは、前記ディスクコントロール用カードから取得した各前記スロットごとの前記スロット情報を少なくとも格納するＲＯＭ（Read Only Memory）を備え、前記コンピュータシステムの電源コンセントが接続されてスタンバイ電源により当該ディスクアレイ装置接続用バックプレーンが通電状態になった際に、前記管理制御部は、動作を開始し、前記ＲＯＭに格納されている前記スロット情報に基づいて、前記ＬＥＤ部の点灯制御を行うことを特徴とする請求項１に記載のディスクアレイ装置接続用バックプレーン。
【請求項３】
当該ディスクアレイ装置接続用バックプレーンは、ユーザが操作可能な点灯制御ボタンを備え、前記コンピュータシステムの電源コンセントが接続されてスタンバイ電源により当該ディスクアレイ装置接続用バックプレーンが通電状態にあり、かつ、前記点灯制御ボタンがユーザにより操作された状態にある場合に、前記管理制御部は、前記ＬＥＤ部の点灯制御を行うことを特徴とする請求項１または２に記載のディスクアレイ装置接続用バックプレーン。
【請求項４】
前記スロットそれぞれに対応付けて配置される前記ＬＥＤ部は、当該スロットに実装可能なディスク装置の種類を示すＬＥＤとして、当該ディスク装置の装置種別を示すＬＥＤ、当該ディスク装置のデータ転送速度の種類を示すＬＥＤ、のいずれか一方または双方を少なくとも含んでいることを特徴とする請求項１ないし３のいずれかに記載のディスクアレイ装置接続用バックプレーン。
【請求項５】
前記スロットそれぞれに対応付けて配置される前記ＬＥＤ部を構成する前記ＬＥＤは、それぞれ、当該スロットそれぞれに実装可能なディスク装置の種類を示すためにあらかじめ割り当てられた異なる色で発色することを特徴とする請求項４に記載のディスクアレイ装置接続用バックプレーン。
【請求項６】
当該ディスクアレイ装置接続用バックプレーンのフロントフェース上に、前記スロットそれぞれに対応する表示窓を備え、前記表示窓は、前記スロットそれぞれに対応付けて配置される前記ＬＥＤ部それぞれを構成する前記ＬＥＤの近傍に設けられて、前記スロットそれぞれに対応付けた前記ＬＥＤ部を構成する前記ＬＥＤの発色状態を表示することを特徴とする請求項５に記載のディスクアレイ装置接続用バックプレーン。
【請求項７】
前記ディスクアレイ装置を構成する前記ディスク装置が、ＨＤＤ（Hard Disk Drive）装置であり、前記ディスクコントロール用カードが、ＲＡＩＤ（Redundant Arrays of Inexpensive Disks）構成のＨＤＤ装置を制御するＲＡＩＤコントロールカードであり、前記スロットが、ＨＤＤ装置を実装するＨＤＤスロットであることを特徴とする請求項１ないし６のいずれかに記載のディスクアレイ装置接続用バックプレーン。
【請求項８】
前記ディスクアレイ装置を構成する１ないし複数種類の前記ＨＤＤ装置の装置種別として、ＳＡＳ（Serial Attached  ＳＣＳＩ：シリアル接続ＳＣＳＩ（Small Computer System Interface））  ＨＤＤ装置、ＳＡＴＡ（Serial  ＡＴＡ：シリアルＡＴＡ（Advanced Technology Attachment））  ＨＤＤ装置のいずれか一方または双方を少なくとも含んでいることを特徴とする請求項７に記載のディスクアレイ装置接続用バックプレーン。
【請求項９】
コンピュータシステムとして１ないし複数種類のディスク装置を混在させて構成するディスクアレイ装置を備えるために、各前記ディスク装置をディスクアレイ装置接続用バックプレーンに設けられたスロットに実装して接続するディスクアレイ装置接続方法であって、前記スロットそれぞれに実装する前記ディスク装置の種類に応じて前記ディスク装置それぞれの動作を制御するディスクコントロール用カードから供給される制御情報のうち、前記スロットそれぞれにおいて動作することが可能なディスク装置の種類を示すスロット情報を取得して、取得した前記スロット情報に基づいて、各前記スロットに対応付けて配置され、前記スロットそれぞれに実装することが可能な前記ディスク装置の種類に応じて点灯するＬＥＤ（Light Emitting Diode）部の点灯制御を行うことを特徴とするディスクアレイ装置接続方法。
【請求項１０】
前記ディスクアレイ装置接続用バックプレーンは、前記ディスクコントロール用カードから取得した各前記スロットごとの前記スロット情報を少なくとも格納するＲＯＭ（Read Only Memory）を備え、前記コンピュータシステムの電源コンセントが接続されてスタンバイ電源により前記ディスクアレイ装置接続用バックプレーンが通電状態になった際に、前記ＲＯＭに格納されている前記スロット情報に基づいて、前記ＬＥＤ部の点灯制御を行うことを特徴とする請求項９に記載のディスクアレイ装置接続方法。
【請求項１１】
前記ディスクアレイ装置接続用バックプレーンは、ユーザが操作可能な点灯制御ボタンを備え、前記コンピュータシステムの電源コンセントが接続されてスタンバイ電源により前記ディスクアレイ装置接続用バックプレーンが通電状態にあり、かつ、前記点灯制御ボタンがユーザにより操作された状態にある場合に、前記ＬＥＤ部の点灯制御を行うことを特徴とする請求項９または１０に記載のディスクアレイ装置接続方法。
【請求項１２】
前記スロットそれぞれに対応付けて配置される前記ＬＥＤ部は、当該スロットに実装可能なディスク装置の種類を示すＬＥＤとして、当該ディスク装置の装置種別を示すＬＥＤ、当該ディスク装置のデータ転送速度の種類を示すＬＥＤ、のいずれか一方または双方を少なくとも含んでいることを特徴とする請求項９ないし１１のいずれかに記載のディスクアレイ装置接続方法。
【請求項１３】
前記スロットそれぞれに対応付けて配置される前記ＬＥＤ部を構成する前記ＬＥＤは、それぞれ、当該スロットそれぞれに実装可能なディスク装置の種類を示すためにあらかじめ割り当てられた異なる色で発色することを特徴とする請求項１２に記載のディスクアレイ装置接続方法。
【請求項１４】
前記ディスクアレイ装置接続用バックプレーンのフロントフェース上に、前記スロットそれぞれに対応する表示窓を備え、前記表示窓は、前記スロットそれぞれに対応付けて配置される前記ＬＥＤ部それぞれを構成する前記ＬＥＤの近傍に設けられて、前記スロットそれぞれに対応付けた前記ＬＥＤ部を構成する前記ＬＥＤの発色状態を表示することを特徴とする請求項１３に記載のディスクアレイ装置接続方法。
【請求項１５】
前記ディスクアレイ装置を構成する前記ディスク装置が、ＨＤＤ（Hard Disk Drive）装置であり、前記ディスクコントロール用カードが、ＲＡＩＤ（Redundant Arrays of Inexpensive Disks）構成のＨＤＤ装置を制御するＲＡＩＤコントロールカードであり、前記スロットが、ＨＤＤ装置を実装するＨＤＤスロットであることを特徴とする請求項９ないし１４のいずれかに記載のディスクアレイ装置接続方法。
【請求項１６】
前記ディスクアレイ装置を構成する１ないし複数種類の前記ＨＤＤ装置の装置種別として、ＳＡＳ（Serial Attached  ＳＣＳＩ：シリアル接続ＳＣＳＩ（Small Computer System Interface））  ＨＤＤ装置、ＳＡＴＡ（Serial  ＡＴＡ：シリアルＡＴＡ（Advanced Technology Attachment））  ＨＤＤ装置のいずれか一方または双方を少なくとも含んでいることを特徴とする請求項１５に記載のディスクアレイ装置接続方法。
【発明の詳細な説明】
【技術分野】
【０００１】
本発明は、ディスクアレイ装置接続用バックプレーンおよびディスクアレイ装置接続方法に関し、特に、複数種類のディスク装置例えばＨＤＤ（Hard Disk Drive）装置を混在させて構成するディスクアレイ装置例えばＲＡＩＤ（Redundant Arrays of Inexpensive Disks）構成のＨＤＤ装置に関する。
【背景技術】
【０００２】
今までは、コンピュータシステムにおいてＲＡＩＤ（Redundant Arrays of Inexpensive Disks）構造を構成するディスクアレイ装置は、単一の種類のＨＤＤ（Hard Disk Drive）装置によって構成するようにされていたが、最近では、特許文献１の特開２００５−２２２４２９号公報「ディスクアレイ装置における異種ディスク装置の管理方法」にも記載されているように、種々のインターフェースや特性を有するＨＤＤ装置を混在させて構成するようになってきている。このようなコンピュータシステム内においては、１枚のバックプレーン（Backplane）上に配置されている複数のＨＤＤスロット（slot）に異なる種類のＨＤＤ装置を装着することによってＲＡＩＤ構造のディスクアレイ装置を構成するような実装構造が採用されている。
【０００３】
現状のバックプレーン（Backplane）の構成を、図６を参照して説明する。図６は、コンピュータシステム内に設置される現状のバックプレーンの構成を示す構成図であり、マザーボードとＲＡＩＤ構造のディスクアレイ装置との間を接続するバックプレーンの構成を示している。
【０００４】
図６に示すように、バックプレーン３Ａは、コンピュータシステム１００内に内蔵されており、マザーボード１側と接続するコネクタ４１〜４７、ディスクアレイ装置２側の各ＨＤＤ装置を装着するＨＤＤスロット（ＨＤＤ  Slot）３１〜３５、ＲＡＩＤ構成の各ＨＤＤ装置の縮退状態を管理および制御する管理制御部（Management Controller）５１Ａ、および、管理制御部５１Ａが使用する各種の情報やファームウェア（Firmware）が格納されるＲＯＭ（Read Only Memory）５２Ａを含んで構成している。
【０００５】
バックプレーン３Ａのコネクタ４１〜４５は、それぞれ、ＨＤＤスロット３１〜３５と内部接続されているとともに、管理制御部５１Ａとも内部接続され、さらに、コネクタ４６，４７は、いずれも、管理制御部５１Ａと内部接続され、管理制御部５１Ａは、ＲＯＭ５２Ａと内部接続されている。
【０００６】
また、図６の実装例では、マザーボード１には、３個のＳＡＳ（Serial Attached  ＳＣＳＩ：シリアル接続ＳＣＳＩ（Small Computer System Interface））  ＨＤＤ装置を接続して制御することができるＳＡＳ  ＲＡＩＤコントロールカード１１と、２個のＳＡＴＡ（Serial  ＡＴＡ：シリアルＡＴＡ（Advanced Technology Attachment））  ＨＤＤ装置を接続して制御することができるＳＡＴＡ  ＲＡＩＤコントロールカード１２と、が実装されており、一方、ディスクアレイ装置２には、２個のＳＡＳ  ＨＤＤ装置２１，２２、２個のＳＡＴＡ  ＨＤＤ装置２４，２５が実装され、かつ、ＳＡＳ  ＨＤＤ用の空きスロット２３が存在している。
【０００７】
ここで、マザーボード１に実装されたＳＡＳ  ＲＡＩＤコントロールカード１１の３個の入出力用端子は、バックプレーン３Ａのコネクタ４１〜４３を介して、ＨＤＤスロット３１〜３３に装着されたＳＡＳ  ＨＤＤ装置２１，２２および空きスロット２３にそれぞれ接続され、また、ＳＡＳ  ＲＡＩＤコントロールカード１１のクロック信号出力用端子は、バックプレーン３Ａのコネクタ４６を介して、バックプレーン３Ａ内の管理制御部５１Ａに接続されている。また、マザーボード１に実装されたＳＡＴＡ  ＲＡＩＤコントロールカード１２の２個の入出力用端子は、バックプレーン３Ａのコネクタ４４，４５を介して、ＨＤＤスロット３４，３５に装着されたＳＡＴＡ  ＨＤＤ装置２４，２５にそれぞれ接続され、また、ＳＡＴＡ  ＲＡＩＤコントロールカード１２のクロック信号出力用端子は、バックプレーン３Ａのコネクタ４７を介して、バックプレーン３Ａ内の管理制御部５１Ａに接続されている。
【０００８】
かくのごとく、ディスクアレイ装置２として、インターフェースが異なる複数種類のＨＤＤ装置を混在させてバックプレーン３Ａに収容している場合であっても、マザーボード１に、それぞれのインターフェースをサポートするＲＡＩＤコントロールカードを実装して、バックプレーン３Ａ内の管理制御部５１ＡにそれぞれのＨＤＤ装置を制御するための制御情報を送信することにより、あるいは、バックプレーン３Ａ内の管理制御部５１ＡからＲＡＩＤコントロールカードやコネクタ４１〜４５に制御情報を送信することにより、ＲＡＩＤ構造のディスクアレイ装置としての動作を行うことができる。
【先行技術文献】
【特許文献】
【０００９】
【特許文献１】特開２００５−２２２４２９号公報（第８−１０頁）
【発明の概要】
【発明が解決しようとする課題】
【００１０】
しかしながら、図６に示したような現状のバックプレーン３Ａにおいては、ディスクアレイ装置２としてＨＤＤ装置が未実装のＨＤＤスロット３３に、例えばＨＤＤ装置を増設しようとする場合に、当該ＨＤＤスロット３３に、マザーボード１に実装された複数種類のＲＡＩＤコントロールカード（例えば、ＳＡＳ  ＲＡＩＤコントロールカード１１、ＳＡＴＡ  ＲＡＩＤコントロールカード１２等）のうち、どの種類のＲＡＩＤコントロールカードからの信号が接続されているかを確認する際に、空きスロット２３の状態のＨＤＤスロット３３に内部接続されたコネクタ４３がマザーボード１のどの種類のＲＡＩＤコントロールカードに接続されているのかを配線状態を実際に追って確認する方法、あるいは、未実装のＨＤＤスロット３３に実際にいずれかの種類のＨＤＤ装置を実装して、「ＲＡＩＤユーティリティ」などを用いて確認する方法、などの確認方法となり、空きスロット２３の状態にあるＨＤＤスロット３３に実装可能なＨＤＤ装置の種類を容易には判断することができないという問題がある。
【００１１】
本発明は、かかる問題を解決するためになされたものであり、複数種類のディスク装置例えばＨＤＤ装置を混在させて構成するディスクアレイ装置において、ユーザがディスク装置例えばＨＤＤ装置を空きスロットに増設する場合、どの種類のディスク装置例えばＨＤＤ装置を増設することができるかを、容易に判別することができるディスクアレイ装置接続用バックプレーンおよびディスクアレイ装置接続方法を提供することをその目的としている。
【課題を解決するための手段】
【００１２】
前述の課題を解決するため、本発明によるディスクアレイ装置接続用バックプレーンは、次のような特徴的な構成を採用している。
【００１３】
（１）１ないし複数種類のディスク装置を混在させて構成するディスクアレイ装置を備えたコンピュータシステム内に設けられ、各前記ディスク装置を実装するためのスロットを備えたディスクアレイ装置接続用バックプレーンであって、各前記スロットに対応付けて配置され、前記スロットそれぞれに実装することが可能な前記ディスク装置の種類に応じて点灯するＬＥＤ（Light Emitting Diode）部と、前記スロットそれぞれに実装する前記ディスク装置の種類に応じて前記ディスク装置それぞれの動作を制御するディスクコントロール用カードから制御情報を読み取り、読み取った前記制御情報に応じて当該ディスクアレイ装置接続用バックプレーンの動作を制御する管理制御部と、を備え、前記管理制御部は、前記ディスクコントロール用カードから読み取った前記制御情報のうち、前記スロットそれぞれにおいて動作することが可能なディスク装置の種類を示すスロット情報を取得して、取得した前記スロット情報に基づいて、前記スロットそれぞれに実装することが可能なディスク装置の種類を判別し、前記スロットそれぞれに対応する前記ＬＥＤ部の点灯制御を行うディスクアレイ装置接続用バックプレーン。
【発明の効果】
【００１４】
本発明のディスクアレイ装置接続用バックプレーンおよびディスクアレイ装置接続方法によれば、以下のような効果を奏することができる。
【００１５】
第１の効果は、複数種類のディスク装置例えばＨＤＤ装置を混在させて構成するディスクアレイ装置において、ディスクアレイ装置接続用バックプレーンの各スロットに実装可能なディスク装置例えばＨＤＤ装置の種類に応じて、各スロットに対応して配置したＬＥＤを点灯させることにより、ユーザに対して通知しているので、ディスク装置例えばＨＤＤ装置を、ディスクアレイ装置接続用バックプレーンのいずれかの空きスロットに増設しようとする際に、ユーザは、ディスク装置例えばＨＤＤ装置の種類を間違うことなく空きスロットに正しく増設することができることである。
【００１６】
第２の効果は、ディスクアレイ装置接続用バックプレーンは、コンピュータシステムのスタンバイ電源が投入されている状態で、通電状態になって、当該ディスクアレイ装置接続用バックプレーンのＬＥＤの点灯制御を行う管理制御部が動作可能な状態になるので、コンピュータシステム全体に電力を供給するＤＣ電源が投入されていない状態であっても、ディスクアレイ装置接続用バックプレーンの各スロットに実装可能なディスク装置例えばＨＤＤ装置の種類を示すＬＥＤを点灯させて、ユーザに通知することができることである。
【００１７】
第３の効果は、コンピュータシステムの電源コンセントが接続されてスタンバイ電源によりディスクアレイ装置接続用バックプレーンが通電状態にあり、かつ、ユーザが点灯制御ボタンを操作している状態にある場合に、ＬＥＤの点灯制御を行うことにより、各ＬＥＤを点灯させるための電力を削減することができることである。
【図面の簡単な説明】
【００１８】
【図１】本発明に係るディスクアレイ装置接続用バックプレーンの構成の一例を示す構成図である。
【図２】図１に示すディスクアレイ装置接続用のバックプレーンに搭載されている制御部の接続構成の一例を示す構成図である。
【図３】図１に示すディスクアレイ装置接続用のバックプレーンに搭載されているＬＥＤ部の内部構成の一例を示す構成図である。
【図４】図１に示すディスクアレイ装置接続用バックプレーンの動作の一例を説明するためのフローチャートである。
【図５】図１に示すディスクアレイ装置接続用のバックプレーンに搭載されている制御部の図２とは異なる接続構成の一例を示す構成図である。
【図６】コンピュータシステム内に設置される現状のバックプレーンの構成を示す構成図である。
【発明を実施するための形態】
【００１９】
以下、本発明によるディスクアレイ装置接続用バックプレーンおよびディスクアレイ装置接続方法の好適な実施例について添付図を参照して説明する。なお、以下の説明においては、ディスクアレイ装置として、１ないし複数の種類からなるＨＤＤ（Hard Disk Drive）装置それぞれを制御するＲＡＩＤ（Redundant Arrays of Inexpensive Disks）コントロールカードに接続してＲＡＩＤ構造を実現する場合について説明するが、本発明は、ＨＤＤ装置に限るものではなく、例えば、１ないし複数の種類からなるＣＤ（Compact Disc）、ＤＶＤ（Digital Versatile Disk）、Blu-ray Disc等の光ディスク装置を、光ディスク装置の制御を行うディスクコントロール用カードに接続して、複数種類の光ディスク装置を制御するようなディスクアレイ装置の場合であっても、全く同様に適用することができる。
【００２０】
（本発明の特徴）
本発明の実施形態の説明に先立って、本発明の特徴についてその概要をまず説明する。本発明は、コンピュータシステム内のディスクアレイ装置を構成する各ディスク装置例えばＨＤＤ装置を実装するバックプレーン（Backplane）のディスク装置装着用スロット例えばＨＤＤスロットに実装することが可能なディスク装置例えばＨＤＤ装置の種類を、たとえ、コンピュータシステム全体に電力を供給するＤＣ電源が投入されていない状態であっても、ユーザが容易に判別することを可能とすることを特徴としている。つまり、コンピュータシステムのスタンバイ電源により通電状態になるバックプレーン（Backplane）に備えられた各ディスク装置装着用スロット例えばＨＤＤスロットに対応付けて、それぞれ、どの種類のディスク装置例えばＨＤＤ装置を制御するディスクコントロール用カード例えばＲＡＩＤコントロールカードが接続されているのかをユーザが容易に視認することができる仕組みを備えていることを特徴とし、さらには、たとえ、バックプレーン（Backplane）のディスク装置装着用スロット例えばＨＤＤスロットにディスク装置例えばＨＤＤ装置が未実装の状態であっても、当該ディスク装置装着用スロット例えばＨＤＤスロットにどの種類のディスク装置例えばＨＤＤ装置を制御するディスクコントロール用カード例えばＲＡＩＤコントロールカードが接続されているのかをユーザが容易に視認することができる仕組みを備えていることを特徴としている。
【００２１】
具体的には、例えば、ディスクアレイ装置としてＲＡＩＤ構造のＨＤＤ装置を構成する場合であって、かつ、ＨＤＤ装置として、シリアル接続が可能なＳＣＳＩ（Small Computer System Interface）インターフェースを有するＳＡＳ（Serial Attached  ＳＣＳＩ：シリアル接続ＳＣＳＩ）  ＨＤＤ装置とシリアルＡＴＡ（Advanced Technology Attachment）インターフェースを有するＳＡＴＡ  ＨＤＤ装置とを混在させて実装することが可能なコンピュータシステムの場合、各ＨＤＤ装置を実装する複数のＨＤＤスロットを備えたバックプレーン（Backplane）を、次のような構成要素を少なくとも含む形で構成する。
【００２２】
つまり、コンピュータシステムのマザーボードに搭載されたＨＤＤ装置制御用のＲＡＩＤコントロールカード（ＳＡＳ  ＲＡＩＤコントロールカード、ＳＡＴＡ  ＲＡＩＤコントロールカード）からの各制御情報（接続対象の各ＨＤＤスロットを特定するインターフェース情報を含む）を受け取る管理制御部（Management Controller）と、受け取った各制御情報を格納するフラッシュメモリ等のＲＯＭと、ＲＯＭに格納した制御情報に基づいて管理制御部が作成した信号により、点灯または滅灯するＬＥＤ部とを備え、該ＬＥＤ部を各ＨＤＤスロットに対応付けて配置する構成とする。而して、ＬＥＤ部の点滅状態に基づいて、各ＨＤＤスロットに接続されているＲＡＩＤコントロールカードの種類、すなわち、各ＨＤＤスロットに実装することが可能なＨＤＤ装置の種類を、ユーザは外部から容易に視認することができる。
【００２３】
したがって、本発明は、例えば、ＳＡＳやＳＡＴＡなどの複数種類のシリアルインターフェースを用いて複数のＲＡＩＤコントロールカードから同一のバックプレーンに接続され、かつ、ＳＡＳやＳＡＴＡなどの異なるインターフェースや特性を有するＨＤＤ装置を該バックプレーンに実装して、ＲＡＩＤ構造のＨＤＤ装置からなるディスクアレイ装置を構成するようなコンピュータシステムに好適に適用することができる。つまり、本発明は、特に、ＲＡＩＤコントロールカードからバックプレーンヘの接続を自由に行うことが可能なコンピュータシステムにおいて、ＲＡＩＤコントロールカードがどのような接続になっているのかを、ユーザは外部から容易に判別することができる仕組みを提供している。
【００２４】
（実施形態の構成例）
次に、本発明に係るディスクアレイ装置接続用バックプレーンの構成について、その一例を、図１を用いて説明する。図１は、本発明に係るディスクアレイ装置接続用バックプレーンの構成の一例を示す構成図であり、コンピュータシステムのマザーボードとＲＡＩＤ構造のディスクアレイ装置との間を接続するバックプレーンの構成例を示している。ここで、前述したように、ディスクアレイ装置を構成するディスク装置としては、ＨＤＤ装置を用い、さらに、マザーボードに搭載するディスクコントロール用カードが、ＲＡＩＤ構成のＨＤＤ装置を制御するＲＡＩＤコントロールカードであり、ＲＡＩＤ構成のＨＤＤ装置の種類として、ＳＡＳ  ＨＤＤ装置とＳＡＴＡ  ＨＤＤ装置との２種類のＨＤＤ装置を実装することが可能な場合を示している。
【００２５】
図１において、コンピュータシステム１００内に内蔵されているバックプレーン３は、前述した図６のバックプレーン３Ａとは異なり、各ＨＤＤスロットに接続されているＲＡＩＤコントロールカードの種類、すなわち、各ＨＤＤスロットに実装することが可能なＨＤＤ装置の種類を外部表示する仕組みを備えており、当該バックプレーン３の動作を制御する制御部５、マザーボード１側と接続するコネクタ４１〜４７、ディスクアレイ装置２側の各ＨＤＤ装置を装着するＨＤＤスロット（ＨＤＤ  Slot）３１〜３５、各ＨＤＤスロット３１〜３５に実装可能なＨＤＤ装置の種類を示すＬＥＤ（Light Emitting Diode）を点灯するＬＥＤ部６１〜６５を、少なくとも含んで構成している。
【００２６】
制御部５は、管理制御部（Management Controller）５１とＲＯＭ（Read Only Memory）５２とを少なくとも含んで構成される。管理制御部５１は、コネクタ４１〜４７を介してマザーボード１から出力されてくる制御情報（接続対象の各ＨＤＤスロット３１〜３５の属性を特定するインターフェース情報を含む）を読み取り、ＲＯＭ５２に格納したり、ＲＯＭ５２に格納した制御情報に基づいて、ＬＥＤ部６１〜６５の点灯状態を制御するＬＥＤ駆動信号を生成して、ＬＥＤ部６１〜６５に送出したり、あるいは、ＲＡＩＤ構成の各ＨＤＤ装置の縮退状態を管理および制御したりする。また、ＲＯＭ５２は、フラッシュメモリ等からなっており、管理制御部５１がマザーボード１からコネクタ４１〜４７を介して読み取った制御情報を格納したり、管理制御部５１が使用する各種の情報やファームウェア（Firmware）を格納したりする。
【００２７】
また、バックプレーン３のコネクタ４１〜４５は、前述した図６のバックプレーン３Ａのコネクタ４１〜４５と同様、それぞれ、ＨＤＤスロット３１〜３５と内部接続されているとともに、管理制御部５１とも内部接続され、さらに、コネクタ４６，４７は、いずれも、管理制御部５１と内部接続され、管理制御部５１は、ＲＯＭ５２と内部接続されている。
【００２８】
また、図１の実装例においては、前述した図６のバックプレーン３Ａの場合と同様、マザーボード１には、３個のＳＡＳ  ＨＤＤ装置を接続して制御することができるＳＡＳ  ＲＡＩＤコントロールカード１１と、２個のＳＡＴＡ  ＨＤＤ装置を接続して制御することができるＳＡＴＡ  ＲＡＩＤコントロールカード１２と、が実装されており、一方、ディスクアレイ装置２には、２個のＳＡＳ  ＨＤＤ装置２１，２２、２個のＳＡＴＡ  ＨＤＤ装置２４，２５が実装され、かつ、ＳＡＳ  ＨＤＤ用の空きスロット２３が存在している。
【００２９】
図１において、マザーボード１に実装されたＳＡＳ  ＲＡＩＤコントロールカード１１の３個の入出力用端子は、前述した図６のバックプレーン３Ａの場合と同様、バックプレーン３のコネクタ４１〜４３を介して、管理制御部５１に接続されるとともに、ＨＤＤスロット３１〜３３に装着されたＳＡＳ  ＨＤＤ装置２１，２２および空きスロット２３にそれぞれ接続され、また、ＳＡＳ  ＲＡＩＤコントロールカード１１のクロック信号出力用端子は、バックプレーン３のコネクタ４６を介して、バックプレーン３内の制御部５の管理制御部５１に接続されている。また、マザーボード１に実装されたＳＡＴＡ  ＲＡＩＤコントロールカード１２の２個の入出力用端子は、バックプレーン３のコネクタ４４，４５を介して、管理制御部５１に接続されるとともに、ＨＤＤスロット３４，３５に装着されたＳＡＴＡ  ＨＤＤ装置２４，２５にそれぞれ接続され、また、ＳＡＴＡ  ＲＡＩＤコントロールカード１２のクロック信号出力用端子は、バックプレーン３のコネクタ４７を介して、バックプレーン３内の制御部５の管理制御部５１に接続されている。
【００３０】
次に、バックプレーン３に搭載されている制御部５の接続構成について、図２を用いてさらに説明する。図２は、図１に示すディスクアレイ装置接続用のバックプレーン３に搭載されている制御部５の接続構成の一例を示す構成図である。
【００３１】
図２に示すように、制御部５の管理制御部５１は、マザーボード１のＳＡＳ  ＲＡＩＤコントロールカード１１、ＳＡＴＡ  ＲＡＩＤコントロールカード１２と、それぞれ、コネクタ４１〜４７を介して、信号線４１１〜４１７によって接続されている。信号線４１１〜４１７は、シリアルクロック信号と双方向のシリアルデータとを伝送する２本の信号線からなる同期式シリアル伝送用のＩ２Ｃバスによって構成されており、信号線４１１〜４１５は、それぞれ、双方向のシリアルデータ用の信号線であり、信号線４１６，４１７は、それぞれ、ＳＡＳ  ＲＡＩＤコントロールカード１１、ＳＡＴＡ  ＲＡＩＤコントロールカード１２からのシリアルクロック信号を伝送するための信号線である。
【００３２】
マザーボード１のＳＡＳ  ＲＡＩＤコントロールカード１１、ＳＡＴＡ  ＲＡＩＤコントロールカード１２は、シリアルデータ用の信号線４１１〜４１５を用いて、各種の制御情報（接続対象の各ＨＤＤスロットの属性を特定するインターフェース情報を含む）を管理制御部５１に対して通知することができる。管理制御部５１は、信号線４１１〜４１５を介して通知されてくるマザーボード１のＳＡＳ  ＲＡＩＤコントロールカード１１、ＳＡＴＡ  ＲＡＩＤコントロールカード１２からの各制御情報のうち、接続対象の各ＨＤＤスロットの属性を特定することができるインターフェース情報を、ＲＯＭ５２内に、それぞれ、スロット１情報５２１〜スロット５情報５２５として格納する。
【００３３】
ＲＯＭ５２に格納されるスロット１情報５２１〜スロット５情報５２５は、いずれも、同一種類の情報であり、図２には、ＨＤＤスロット３１に関するスロット１情報５２１を用いて、ＲＯＭ５２内に格納されるインターフェース情報の内容を例示している。つまり、図２のスロット１情報５２１に例示するように、各スロット情報は、格納されている情報が有効か否かを示す有効識別子５２１ａ（有効情報有無表示）、当該ＨＤＤスロット３１に実装可能なＨＤＤ装置の種類がＳＡＳインターフェースのＨＤＤ装置かＳＡＴＡインターフェースのＨＤＤ装置かを示すＳＡＳ／ＳＡＴＡ識別子５２１ｂ（インターフェース種別表示すなわち装置種別表示）、および、データ転送速度が１．５Ｇｂｐｓか３Ｇｂｐｓかを示す速度識別子５２１ｃ（転送速度表示）、を少なくとも有して構成されている。
【００３４】
また、図２に示すように、制御部５の管理制御部５１は、バックプレーン３に搭載しているＬＥＤ部６１〜６５と、それぞれ、駆動線３１１〜３１５によって接続されている。駆動線３１１〜３１５は、それぞれ、対応するＬＥＤ部６１〜６５それぞれに実装されているＬＥＤを駆動して、それぞれのＬＥＤの点灯を制御するための信号線であり、例えば、各スロット情報として、４種類の異なる情報を表示可能にしたい場合には、ＬＥＤ部６１〜６５それぞれが４個ずつのＬＥＤを備え、駆動線３１１〜３１５は、それぞれ、４本ずつの駆動線により構成される。
【００３５】
次に、バックプレーン３に搭載されているＬＥＤ部６１〜６５の内部構成について、図３を用いてさらに説明する。図３は、図１に示すディスクアレイ装置接続用のバックプレーン３に搭載されているＬＥＤ部６１〜６５のうちＬＥＤ部６１の内部構成の一例を示す構成図である。ここで、図３には、ＨＤＤスロット３１のインターフェース種別を示すＬＥＤ部６１、すなわち、当該ＨＤＤスロット３１に実装可能なＨＤＤ装置の種類を外部からユーザが視認することが可能なＬＥＤ部６１についてその内部構成の一例を示しているが、他のＬＥＤ部６２〜６５についても、全く同様の内部構成として構わない。
【００３６】
図３に示すように、ＬＥＤ部６１は、バックプレーン３の前面を形成し、ユーザから視認することができるフロントフェース６１１に２つの表示窓６１２，６１３を備えている。表示窓６１２は、当該ＬＥＤ部６１に該当するＨＤＤスロット３１のインターフェース情報のうち、インターフェース種別、すなわち、当該ＨＤＤスロット３１に実装可能なＨＤＤ装置の種類がＳＡＳ  ＨＤＤ装置かＳＡＴＡ装置かのＨＤＤ装置種別を表示する窓であり、一方、表示窓６１３は、当該ＬＥＤ部６１に該当するＨＤＤスロット３１のインターフェース情報のうち、インターフェース速度、すなわち、当該ＨＤＤスロット３１に実装可能なＨＤＤ装置の転送速度が１．５Ｇｂｐｓか３Ｇｂｐｓかのデータ転送速度種別を表示する窓である。
【００３７】
また、図３に示す例においては、管理制御部５１からのＬＥＤ部６１への駆動線３１１は、駆動線３１１ａ，３１１ｂ，３１１ｃ，３１１ｄの４本の信号線から構成されており、それぞれ、ＬＥＤ６１ａ，６１ｂ，６１ｃ，６１ｄに接続されている。
【００３８】
ここで、駆動線３１１ａ，３１１ｂが接続されるＬＥＤ６１ａ，６１ｂは、インターフェース種別すなわちＨＤＤ装置種別を表示するフロントフェース６１１の表示窓６１２の近傍に配置されており、ＬＥＤ６１ａまたはＬＥＤ６１ｂが駆動されると、それぞれで異なる色で例えばオレンジ色または緑色でそれぞれ発光する。また、駆動線３１１ｃ，３１１ｄが接続されるＬＥＤ６１ｃ，６１ｄは、インターフェース速度種別すなわちデータ転送速度種別を表示するフロントフェース６１１の表示窓６１３の近傍に配置されており、ＬＥＤ６１ｃまたはＬＥＤ６１ｄが駆動されると、それぞれで異なる色で例えばオレンジ色または緑色でそれぞれ発光する。
【００３９】
管理制御部５１が、ＲＯＭ５２に格納されているスロット１情報５２１に基づいて、ＨＤＤスロット３１に実装可能なＨＤＤ装置の種別がＳＡＳインターフェースのＨＤＤ装置であると判定した場合には、駆動線３１１ａからＬＥＤ駆動信号を出力することにより、ＬＥＤ６１ａがオレンジ色で発光して、表示窓６１２がオレンジ色に発色して見えることから、ユーザは、該当するＨＤＤスロット３１は、インターフェース種別すなわちＨＤＤ装置種別がＳＡＳインターフェースのＨＤＤ装置の実装位置であることを視認することができる。また、管理制御部５１が、ＨＤＤスロット３１に実装可能なＨＤＤ装置の種別がＳＡＴＡインターフェースのＨＤＤ装置であると判定した場合には、駆動線３１１ｂからＬＥＤ駆動信号を出力することにより、ＬＥＤ６１ｂが緑色で発光して、表示窓６１２が緑色に発色して見えることから、ユーザは、該当するＨＤＤスロット３１は、インターフェース種別すなわちＨＤＤ装置種別がＳＡＴＡインターフェースのＨＤＤ装置の実装位置であることを視認することができる。
【００４０】
また、管理制御部５１が、ＲＯＭ５２に格納されているスロット１情報５２１に基づいて、ＨＤＤスロット３１に実装可能なＨＤＤ装置が１．５Ｇｂｐｓのインターフェース速度を有するＨＤＤ装置であると判定した場合には、駆動線３１１ｃからＬＥＤ駆動信号を出力することにより、ＬＥＤ６１ｃがオレンジ色で発光して、表示窓６１３がオレンジ色に発色して見えることから、ユーザは、該当するＨＤＤスロット３１は、インターフェース速度すなわちデータ転送速度が１．５ＧｂｐｓのＨＤＤ装置の実装位置であることを視認することができる。また、管理制御部５１が、ＨＤＤスロット３１に実装可能なＨＤＤ装置が３Ｇｂｐｓのインターフェース速度を有するＨＤＤ装置であると判定した場合には、駆動線３１１ｄからＬＥＤ駆動信号を出力することにより、ＬＥＤ６１ｄが緑色で発光して、表示窓６１３が緑色に発色して見えることから、ユーザは、該当するＨＤＤスロット３１は、インターフェース速度すなわちデータ転送速度が３ＧｂｐｓのＨＤＤ装置の実装位置であることを視認することができる。
【００４１】
なお、管理制御部５１が、ＲＯＭ５２に格納されているスロット１情報５２１に基づく判別結果として、スロット１情報５２１の格納情報には有効な情報が格納されていないものと判定した場合は、ＬＥＤ部６１への４本の駆動線３１１ａ，３１１ｂ，３１１ｃ，３１１ｄのいずれにもＬＥＤ駆動信号を出力しないので、ＬＥＤ６１ａ，６１ｂ，６１ｃ，６１ｄのいずれも消灯した状態のままであり、フロントフェース６１１の表示窓６１２，６１３は、暗転している状態になる。これにより、ユーザは、該当するＨＤＤスロット３１には、如何なる種類のＨＤＤ装置も実装することができないものと判断することができる。
【００４２】
（実施形態の動作の説明）
次に、図１のディスクアレイ装置接続用バックプレーンの動作の一例について、図４のフローチャートを用いて説明する。図４は、図１に示すディスクアレイ装置接続用バックプレーンの動作の一例を説明するためのフローチャートである。
【００４３】
図４のフローチャートにおいて、まず、図１のディスクアレイ装置接続用バックプレーンが実装されているコンピュータシステム１００の電源コンセントを接続すると（ステップＳ１）、コンピュータシステム１００のスタンバイ電源が投入された状態になる（ステップＳ２）。スタンバイ電源の投入によって、図１のバックプレーン３の制御部５を構成する管理制御部（Management Controller）５１は通電されて、動作を開始する（ステップＳ３）。ただし、コンピュータシステム１００のＤＣ電源が未投入のこの段階では、コンピュータシステム１００全体には通電されておらず、マザーボード１は動作しない。
【００４４】
管理制御部５１は、ＲＯＭ５２にあらかじめ格納されている各ＨＤＤスロット３１〜３５に関するインターフェース情報であるスロット１情報５２１〜スロット５情報５２５を順次読み出して、有効な情報が格納されているか否かを、スロット１情報５２１〜スロット５情報５２５の有効識別子５２１ａ〜５２５ａにより確認する（ステップＳ４）。
【００４５】
スロット１情報５２１〜スロット５情報５２５に有効な情報が格納されていた場合には（ステップＳ４の「有効」の場合）、管理制御部５１は、当該スロット１情報５２１〜スロット５情報５２５それぞれのＳＡＳ／ＳＡＴＡ識別子５２１ｂ〜５２５ｂ、速度識別子５２１ｃ〜５２５ｃに基づいて、該当するＨＤＤスロット３１〜３５に対応するＬＥＤ部６１〜６５を駆動するためのＬＥＤ駆動信号を作成して、該当する駆動線３１１〜３１５を介してＬＥＤ部６１〜６５に送信することにより、該当するＬＥＤ部６１〜６５の各ＬＥＤを点灯させる（ステップＳ５）。しかる後、ステップＳ６に移行する。
【００４６】
一方、スロット１情報５２１〜スロット５情報５２５に有効な情報が格納されていないと判定した場合には（ステップＳ４の「無効」の場合）、管理制御部５１は、該当するＨＤＤスロット３１〜３５に対応するＬＥＤ部６１〜６５を駆動することなく、該当するＬＥＤ部６１〜６５の各ＬＥＤを消灯したままにして、ステップＳ６に移行する。
【００４７】
次に、ステップＳ６においては、ＲＯＭ５２に格納されているすべてのスロット１情報５２１〜スロット５情報５２５について確認したか否かを確認し、未確認のスロット情報が残っている場合には（ステップＳ６のＮＯ）、ステップＳ４に復帰して、次のスロット情報に関する確認動作を繰り返し、一方、すべてのスロット情報の確認が終了した場合は（ステップＳ６のＹＥＳ）、ステップＳ７に移行して、コンピュータシステム１００の電源スイッチなどにより、コンピュータシステム１００のＤＣ電源が投入されたか否かを確認する（ステップＳ７）。
【００４８】
コンピュータシステム１００のＤＣ電源が投入されていない場合は（ステップＳ７のＮＯ）、ステップＳ７において、ＤＣ電源が投入されるまで待機する。コンピュータシステム１００のＤＣ電源が投入されると（ステップＳ７のＹＥＳ）、コンピュータシステム１００全体に通電され、マザーボード１に搭載されているＲＡＩＤコントロールカードすなわちＳＡＳ  ＲＡＩＤコントロールカード１１、ＳＡＴＡ  ＲＡＩＤコントロールカード１２も動作を開始して、ステップＳ８に移行する。
【００４９】
ステップＳ８においては、動作を開始したマザーボード１のＲＡＩＤコントロールカードすなわちＳＡＳ  ＲＡＩＤコントロールカード１１、ＳＡＴＡ  ＲＡＩＤコントロールカード１２は、コネクタ４１〜４７を介して、Ｉ２Ｃバスからなる信号線４１１〜４１７により、対応する各ＨＤＤスロット３１〜３５に関する制御信号を、管理制御部５１に対して通知してくる（ステップＳ８）。
【００５０】
管理制御部５１は、ＲＡＩＤコントロールカードすなわちＳＡＳ  ＲＡＩＤコントロールカード１１、ＳＡＴＡ  ＲＡＩＤコントロールカード１２から通知されてきた制御信号を解釈して、ＲＯＭ５２内の対応する領域に格納するが、接続対象の各ＨＤＤスロット３１〜３５の属性を特定するインターフェース情報（つまり、ＨＤＤスロットに実装可能なＨＤＤ装置の種別を示すインターフェース種別、ＨＤＤスロットに実装可能なＨＤＤ装置のデータ転送速度を示すインターフェース速度に関する情報）に関しては、ＲＯＭ５２内にスロット１情報５２１〜スロット５情報５２５として上書きする形で格納する（ステップＳ９）。これにより、コンピュータシステム１００のＤＣ電源が投入されるまでにＲＯＭ５２のスロット１情報５２１〜スロット５情報５２５として格納されていた情報を、マザーボード１のＲＡＩＤコントロールカードすなわちＳＡＳ  ＲＡＩＤコントロールカード１１、ＳＡＴＡ  ＲＡＩＤコントロールカード１２のインターフェース情報（動作可能なＨＤＤ装置の種類を示す情報）と一致させることができる。
【００５１】
しかる後、管理制御部５１は、ＲＯＭ５２に格納したスロット１情報５２１〜スロット５情報５２５のうち、有効な情報に関して、当該スロット１情報５２１〜スロット５情報５２５それぞれのＳＡＳ／ＳＡＴＡ識別子５２１ｂ〜５２５ｂ、速度識別子５２１ｃ〜５２５ｃに基づいて、該当するＨＤＤスロット３１〜３５に対応するＬＥＤ部６１〜６５を駆動するためのＬＥＤ駆動信号を作成して、該当する駆動線３１１〜３１５を介してＬＥＤ部６１〜６５に送信することにより、該当するＬＥＤ部６１〜６５の各ＬＥＤを点灯させる（ステップＳ１０）。
【００５２】
以上のような動作により、各ＨＤＤスロット３１〜３５に実装可能なＨＤＤ装置の種類に応じて、対応するＬＥＤ部６１〜６５の各ＬＥＤを点灯させて、異なる色で発色させることにより、現在実装されているまたは今後実装することが可能なＨＤＤ装置の種類（つまり、ＳＡＳインターフェースのＨＤＤ装置やＳＡＴＡインターフェースのＨＤＤ装置等の装置種別、１．５Ｇｂｐｓや３Ｇｂｐｓ等のデータ転送速度などのＨＤＤ装置の属性情報）を示す情報が、ＬＥＤ部６１〜６５の各ＬＥＤそれぞれの近傍の表示窓（バックプレーン３のフロントフェース上に設けられた表示窓）に表示される。而して、ユーザは、バックプレーン３のフロントフェース６１１に設けられた各表示窓（例えば、ＨＤＤスロット３１に対応するＬＥＤ部６１の場合、図３に示す表示窓６１２，６１３）の発色状態を視認することにより、各ＨＤＤスロット３１〜３５について実装可能（動作可能）なＨＤＤ装置の種別、速度を容易に確認することができる。
【００５３】
なお、以上の実施形態の説明においては、ＬＥＤ部６１〜６５の各ＬＥＤの点灯制御を、コンピュータシステム１００の電源コンセントの接続時点、コンピュータシステム１００のＤＣ電源の投入時点において実施するようにしているが、本発明は、かかる場合に限るものではない。例えば、図５に示すように、ユーザが操作することが可能な点灯制御ボタン７を、図１のバックプレーン３のフロントフェース上に追加して配置するようにしても良い。
【００５４】
図５は、図１に示すディスクアレイ装置接続用のバックプレーンに搭載されている制御部５の図２とは異なる接続構成例を示す構成図であり、制御部５を構成する管理制御部５１に、ＬＥＤ部６１〜６５の点灯制御時点をユーザが指示することが可能な点灯制御ボタン７を接続している例を示している。ここで、点灯制御ボタン７は、前述のように、バックプレーン３のフロントフェース上に設置し、ユーザが容易に操作することを可能としている。
【００５５】
図５に示す制御部５の接続構成においては、管理制御部５１は、ユーザにより点灯制御ボタン７が操作された旨の通知を受け取らない限り、図４のフローチャートのステップＳ５およびステップＳ１０においては、ＬＥＤ駆動信号を各ＬＥＤ部６１〜６５へ送信することなく、各ＬＥＤ部６１〜６５を消灯したままの状態にしておき、ユーザにより点灯制御ボタン７が操作された旨の通知を受け取った時点で、初めて、該当するＬＥＤ部６１〜６５を駆動するためのＬＥＤ駆動信号を各ＬＥＤ部６１〜６５に送信することにより、該当するＬＥＤ部６１〜６５の各ＬＥＤを点灯させる動作を行う。
【００５６】
図５のごとき点灯制御ボタン７によるＬＥＤ部６１〜６５の点灯制御を行うことにより、コンピュータシステム１００の電源コンセントの接続時点およびコンピュータシステム１００のＤＣ電源の投入時点において、ＬＥＤ部６１〜６５の各ＬＥＤを点灯させるのではなく、コンピュータシステム１００の電源コンセントを接続して、スタンバイ電源が投入された状態になった以降であって、動作可能なＨＤＤ装置の種類を識別しようとして、ユーザが点灯制御ボタン７を操作した場合に、初めて、ＬＥＤ部６１〜６５の各ＬＥＤを点灯させるので、各ＬＥＤを点灯させるための電力を削減することができるという効果が得られる。
【００５７】
（実施形態の効果の説明）
以上に詳細に説明したように、本実施形態においては、以下に記載するような効果を得ることができる。
【００５８】
第１の効果は、複数種類のＨＤＤ装置を混在させて構成するディスクアレイ装置において、バックプレーン３の各ＨＤＤスロット３１〜３５に実装可能なＨＤＤ装置の種類に応じて、各ＨＤＤスロット３１〜３５に対応して配置したＬＥＤ部６１〜６５の各ＬＥＤを点灯させることにより、バックプレーン３のフロントフェース６１１の表示窓の発色状態を変化させて、ユーザに対して通知しているので、ＨＤＤ装置をバックプレーン３のＨＤＤスロット３１〜３５のうちいずれか空きのＨＤＤスロットに増設しようとする際に、ユーザは、ＨＤＤ装置の種類を間違うことなく空きＨＤＤスロットに正しく増設することができることである。
【００５９】
第２の効果は、バックプレーン３は、コンピュータシステム１００のスタンバイ電源が投入されている状態で、通電状態になって、当該バックプレーン３のＬＥＤ部６１〜６５の各ＬＥＤの点灯制御を行う管理制御部５１が動作可能な状態になるので、コンピュータシステム１００全体に電力を供給するＤＣ電源が投入されていない状態であっても、バックプレーン３の各ＨＤＤスロット３１〜３５に実装可能なＨＤＤ装置の種類を示すＬＥＤ部６１〜６５の各ＬＥＤを点灯させることにより、バックプレーン３の表示窓に発色表示して、実装可能なＨＤＤ装置の種類をユーザに通知することができることである。
【００６０】
第３の効果は、コンピュータシステム１００の電源コンセントが接続されてスタンバイ電源によりバックプレーン３が通電状態にあり、かつ、ユーザが点灯制御ボタン７を操作している状態にある場合に、ＬＥＤ部６１〜６５の点灯制御を行うことにより、ＬＥＤ部６１〜６５の各ＬＥＤを点灯させるための電力を削減することができることである。
【００６１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）当該ディスクアレイ装置接続用バックプレーンは、前記ディスクコントロール用カードから取得した各前記スロットごとの前記スロット情報を少なくとも格納するＲＯＭ（Read Only Memory）を備え、前記コンピュータシステムの電源コンセントが接続されてスタンバイ電源により当該ディスクアレイ装置接続用バックプレーンが通電状態になった際に、前記管理制御部は、動作を開始し、前記ＲＯＭに格納されている前記スロット情報に基づいて、前記ＬＥＤ部の点灯制御を行う上記（１）のディスクアレイ装置接続用バックプレーン。
（３）当該ディスクアレイ装置接続用バックプレーンは、ユーザが操作可能な点灯制御ボタンを備え、前記コンピュータシステムの電源コンセントが接続されてスタンバイ電源により当該ディスクアレイ装置接続用バックプレーンが通電状態にあり、かつ、前記点灯制御ボタンがユーザにより操作された状態にある場合に、前記管理制御部は、前記ＬＥＤ部の点灯制御を行う上記（１）または（２）のディスクアレイ装置接続用バックプレーン。
（４）前記スロットそれぞれに対応付けて配置される前記ＬＥＤ部は、当該スロットに実装可能なディスク装置の種類を示すＬＥＤとして、当該ディスク装置の装置種別を示すＬＥＤ、当該ディスク装置のデータ転送速度の種類を示すＬＥＤ、のいずれか一方または双方を少なくとも含んでいる上記（１）ないし（３）のいずれかのディスクアレイ装置接続用バックプレーン。
（５）前記スロットそれぞれに対応付けて配置される前記ＬＥＤ部を構成する前記ＬＥＤは、それぞれ、当該スロットそれぞれに実装可能なディスク装置の種類を示すためにあらかじめ割り当てられた異なる色で発色する上記（４）のディスクアレイ装置接続用バックプレーン。
（６）当該ディスクアレイ装置接続用バックプレーンのフロントフェース上に、前記スロットそれぞれに対応する表示窓を備え、前記表示窓は、前記スロットそれぞれに対応付けて配置される前記ＬＥＤ部それぞれを構成する前記ＬＥＤの近傍に設けられて、前記スロットそれぞれに対応付けた前記ＬＥＤ部を構成する前記ＬＥＤの発色状態を表示する上記（５）のディスクアレイ装置接続用バックプレーン。
（７）前記ディスクアレイ装置を構成する前記ディスク装置が、ＨＤＤ（Hard Disk Drive）装置であり、前記ディスクコントロール用カードが、ＲＡＩＤ（Redundant Arrays of Inexpensive Disks）構成のＨＤＤ装置を制御するＲＡＩＤコントロールカードであり、前記スロットが、ＨＤＤ装置を実装するＨＤＤスロットである上記（１）ないし（６）のいずれかのディスクアレイ装置接続用バックプレーン。
（８）前記ディスクアレイ装置を構成する１ないし複数種類の前記ＨＤＤ装置の装置種別として、ＳＡＳ（Serial Attached  ＳＣＳＩ：シリアル接続ＳＣＳＩ（Small Computer System Interface））  ＨＤＤ装置、ＳＡＴＡ（Serial  ＡＴＡ：シリアルＡＴＡ（Advanced Technology Attachment））  ＨＤＤ装置のいずれか一方または双方を少なくとも含んでいる上記（７）のディスクアレイ装置接続用バックプレーン。
（９）コンピュータシステムとして１ないし複数種類のディスク装置を混在させて構成するディスクアレイ装置を備えるために、各前記ディスク装置をディスクアレイ装置接続用バックプレーンに設けられたスロットに実装して接続するディスクアレイ装置接続方法であって、前記スロットそれぞれに実装する前記ディスク装置の種類に応じて前記ディスク装置それぞれの動作を制御するディスクコントロール用カードから供給される制御情報のうち、前記スロットそれぞれにおいて動作することが可能なディスク装置の種類を示すスロット情報を取得して、取得した前記スロット情報に基づいて、各前記スロットに対応付けて配置され、前記スロットそれぞれに実装することが可能な前記ディスク装置の種類に応じて点灯するＬＥＤ（Light Emitting Diode）部の点灯制御を行うディスクアレイ装置接続方法。
（１０）前記ディスクアレイ装置接続用バックプレーンは、前記ディスクコントロール用カードから取得した各前記スロットごとの前記スロット情報を少なくとも格納するＲＯＭ（Read Only Memory）を備え、前記コンピュータシステムの電源コンセントが接続されてスタンバイ電源により前記ディスクアレイ装置接続用バックプレーンが通電状態になった際に、前記ＲＯＭに格納されている前記スロット情報に基づいて、前記ＬＥＤ部の点灯制御を行う上記（９）のディスクアレイ装置接続方法。
（１１）前記ディスクアレイ装置接続用バックプレーンは、ユーザが操作可能な点灯制御ボタンを備え、前記コンピュータシステムの電源コンセントが接続されてスタンバイ電源により前記ディスクアレイ装置接続用バックプレーンが通電状態にあり、かつ、前記点灯制御ボタンがユーザにより操作された状態にある場合に、前記ＬＥＤ部の点灯制御を行う上記（９）または（１０）のディスクアレイ装置接続方法。
（１２）前記スロットそれぞれに対応付けて配置される前記ＬＥＤ部は、当該スロットに実装可能なディスク装置の種類を示すＬＥＤとして、当該ディスク装置の装置種別を示すＬＥＤ、当該ディスク装置のデータ転送速度の種類を示すＬＥＤ、のいずれか一方または双方を少なくとも含んでいる上記（９）ないし（１１）のいずれかのディスクアレイ装置接続方法。
（１３）前記スロットそれぞれに対応付けて配置される前記ＬＥＤ部を構成する前記ＬＥＤは、それぞれ、当該スロットそれぞれに実装可能なディスク装置の種類を示すためにあらかじめ割り当てられた異なる色で発色する上記（１２）のディスクアレイ装置接続方法。
（１４）前記ディスクアレイ装置接続用バックプレーンのフロントフェース上に、前記スロットそれぞれに対応する表示窓を備え、前記表示窓は、前記スロットそれぞれに対応付けて配置される前記ＬＥＤ部それぞれを構成する前記ＬＥＤの近傍に設けられて、前記スロットそれぞれに対応付けた前記ＬＥＤ部を構成する前記ＬＥＤの発色状態を表示する上記（１３）のディスクアレイ装置接続方法。
（１５）前記ディスクアレイ装置を構成する前記ディスク装置が、ＨＤＤ（Hard Disk Drive）装置であり、前記ディスクコントロール用カードが、ＲＡＩＤ（Redundant Arrays of Inexpensive Disks）構成のＨＤＤ装置を制御するＲＡＩＤコントロールカードであり、前記スロットが、ＨＤＤ装置を実装するＨＤＤスロットである上記（９）ないし（１４）のいずれかのディスクアレイ装置接続方法。
（１６）前記ディスクアレイ装置を構成する１ないし複数種類の前記ＨＤＤ装置の装置種別として、ＳＡＳ（Serial Attached  ＳＣＳＩ：シリアル接続ＳＣＳＩ（Small Computer System Interface））  ＨＤＤ装置、ＳＡＴＡ（Serial  ＡＴＡ：シリアルＡＴＡ（Advanced Technology Attachment））  ＨＤＤ装置のいずれか一方または双方を少なくとも含んでいる上記（１５）のディスクアレイ装置接続方法。
【符号の説明】
【００６２】
１              マザーボード
２              ディスクアレイ装置
３              バックプレーン
３Ａ            バックプレーン
５              制御部
７              点灯制御ボタン
１１            ＳＡＳ  ＲＡＩＤコントロールカード
１２            ＳＡＴＡ  ＲＡＩＤコントロールカード
２１，２２      ＳＡＳ  ＨＤＤ装置
２３            空きスロット
２４，２５      ＳＡＴＡ  ＨＤＤ装置
３１〜３５      ＨＤＤスロット（ＨＤＤ  Slot）
４１〜４７      コネクタ
５１            管理制御部（Management Controller）
５１Ａ          管理制御部（Management Controller）
５２            ＲＯＭ（Read Only Memory）
５２Ａ          ＲＯＭ（Read Only Memory）
１００          コンピュータシステム
３１１〜３１５  駆動線
４１１〜４１７  信号線
５２１          スロット１情報
５２１ａ        有効識別子（有効情報有無表示）
５２１ｂ        ＳＡＳ／ＳＡＴＡ識別子（装置種別表示）
５２１ｃ        速度識別子（転送速度表示）
５２２          スロット２情報
５２３          スロット３情報
５２４          スロット４情報
５２５          スロット５情報
６１１          フロントフェース
６１２          表示窓
６１３          表示窓
【図１】
2011070273.tif 000003
【図２】
2011070273.tif 000004
【図３】
2011070273.tif 000005
【図４】
2011070273.tif 000006
【図５】
2011070273.tif 000007
【図６】
2011070273.tif 000008